【手続補正書】
【提出日】平成18年6月8日(2006.6.8)
【手続補正１】
【補正対象書類名】特許請求の範囲
【補正対象項目名】全文
【補正方法】変更
【補正の内容】
【特許請求の範囲】
【請求項１】
工業用ロールであって、
外面と内腔を有する実質的に円筒状のシェルと、
前記シェル外面を周方向に覆うポリマーカバーと、
検出システムと
を備え、前記検出システムは、
前記カバーに埋設され、前記ロールの操作パラメータを検知するように構成される複数のセンサと、
前記複数のセンサに直列に接続され、かつ前記複数のセンサの間に延在する信号搬送部材であって、前記シェルの前記外面の上の螺旋経路に追従し、前記シェル外面の１回以上の回転分にわたって延在する信号搬送部材と
を備えることを特徴とする工業用ロール。
【請求項２】
隣接するセンサ間に延在する前記信号搬送部材の中間部分は、前記シェル外面の少なくとも１回転分にわたって延在することを特徴とする請求項１に記載の工業用ロール。
【請求項３】
前記検出システムは、前記信号搬送部材と操作可能に関連するプロセッサをさらに備え、前記プロセッサは、それによって搬送された操作パラメータを代表する信号を処理することを特徴とする請求項１に記載の工業用ロール。
【請求項４】
前記シェルは、前記信号搬送部材が追従する前記螺旋経路と一致する螺旋溝を備え、前記信号搬送部材は、前記螺旋溝内に位置することを特徴とする請求項１に記載の工業用ロール。
【請求項５】
前記シェルは、金属材料によって形成されることを特徴とする請求項１に記載の工業用ロール。
【請求項６】
前記カバーと前記シェルは、前記カバーの外面から前記シェルの内腔内に延在する複数の貫通穴を備え、前記内腔は、前記カバー外面の外側の環境と流体連通することを特徴とする請求項１に記載の工業用ロール。
【請求項７】
前記複数のセンサの１つの上に配置される少なくとも１つの盲ドリル穴をさらに備えることを特徴とする請求項６に記載の工業用ロール。
【請求項８】
前記複数のセンサの少なくとも１つは、前記信号搬送部材に沿って、かつ前記信号搬送部材に対して相対的に滑るように構成されることを特徴とする請求項１に記載の工業用ロール。
【請求項９】
前記シェル口腔内に配置される吸引ボックスをさらに備えることを特徴とする請求項６に記載の工業用ロール。
【請求項１０】
前記信号搬送部材は、光ファイバーであることを特徴とする請求項１に記載の工業用ロール。
【請求項１１】
工業用ロールであって、
外面と内腔を有する実質的に円筒のシェルと、
前記シェル外面を周方向に覆うポリマーカバーであって、螺旋経路が追従する予備成形内溝を備えるポリマーカバーと、
検出システムと
を備え、前記検出システムは、
前記カバー内に埋設され、前記ロールの操作パラメータを検知するように構成される複数のセンサと、
前記複数のセンサに直列に接続され、かつ前記複数のセンサの間に延在する信号搬送部材であって、前記カバー内の前記螺旋経路に位置し、かつ前記螺旋経路に追従する信号搬送部材と
を備えることを特徴とする工業用ロール。
【請求項１２】
前記検出システムは、前記信号搬送部材と操作可能に関連するプロセッサをさらに備え、前記プロセッサは、それによって搬送された操作パラメータを代表する信号を処理することを特徴とする請求項１１に記載の工業用ロール。
【請求項１３】
前記シェルは、金属材料によって形成されることを特徴とする請求項１１に記載の工業用ロール。
【請求項１４】
前記カバーと前記シェルは、前記カバーの外面から前記シェルの内腔内に延在する複数の貫通穴を備え、前記内腔は、前記カバー外面の外側の環境と流体連通することを特徴とする請求項１１に記載の工業用ロール。
【請求項１５】
前記複数のセンサの１つの上に配置される少なくとも１つの盲ドリル穴をさらに備えることを特徴とする請求項１４に記載の工業用ロール。
【請求項１６】
前記複数のセンサの少なくとも１つは、前記信号搬送部材に沿って、かつ前記信号搬送部材に対して相対的に滑るように構成されることを特徴とする請求項１１に記載の工業用ロール。
【請求項１７】
前記シェル口腔内に配置される吸引ボックスをさらに備えることを特徴とする請求項１４に記載の工業用ロール。
【請求項１８】
前記カバーは基層を備え、前記溝は前記基層の外面に配置されることを特徴とする請求項１１に記載の工業用ロール。
【請求項１９】
前記信号搬送部材は、光ファイバーであることを特徴とする請求項１１に記載の工業用ロール。
【請求項２０】
工業用ロールであって、
外面と内腔を有する実質的に円筒状のシェルと、
前記シェル外面を周方向に覆うポリマーカバーと、
検出システムと
を備え、前記検出システムは、
前記カバー内に埋設され、前記ロールの操作パラメータを検知するように構成される複数のセンサと、
前記複数のセンサに直列に接続され、かつ前記複数のセンサの間に延在する信号搬送部材と
を備え、
前記複数のセンサの少なくとも１つは、前記信号搬送部材に沿って、かつ前記信号搬送部材に対して相対的に滑るように構成される
ことを特徴とする工業用ロール。
【請求項２１】
前記検出システムは、前記信号搬送部材と操作可能に関連するプロセッサをさらに備え、前記プロセッサは、それによって搬送された操作パラメータを代表する信号を処理することを特徴とする請求項２０に記載の工業用ロール。
【請求項２２】
前記シェルは、金属材料によって形成されることを特徴とする請求項２０に記載の工業用ロール。
【請求項２３】
前記カバーと前記シェルは、前記カバーの外面から前記シェルの内腔内に延在する複数の貫通穴を備え、前記内腔は、前記カバー外面の外側の環境と流体連通することを特徴とする請求項２０に記載の工業用ロール。
【請求項２４】
前記複数のセンサの１つの上に配置される少なくとも１つの盲ドリル穴をさらに備えることを特徴とする請求項２３に記載の工業用ロール。
【請求項２５】
前記シェル口腔内に配置される吸引ボックスをさらに備えることを特徴とする請求項２３に記載の工業用ロール。
【請求項２６】
前記信号搬送部材は、光ファイバーであることを特徴とする請求項２０に記載の工業用ロール。
【請求項２７】
工業用ロールであって、
外面と内腔を有する実質的に円筒状のシェルと、
前記シェル外面を周方向に覆うポリマーカバーであって、前記カバーと前記シェルは、前記カバーの外面から前記シェル口腔に延在する複数の貫通穴を備え、前記口腔は前記カバー外面の外側の環境と流体連通するようなポリマーカバーと、
検出システムと
を備え、前記検出システムは、
前記カバー内に埋設され、前記ロールの操作パラメータを検知するように構成される複数のセンサと、
前記複数のセンサに直列に接続され、かつ前記複数のセンサの間に延在する信号搬送部材であって、前記シェルの外面の上の螺旋経路に追従する信号搬送部材と
を備え、
前記カバーは、前記複数のセンサの１つの上に配置される少なくとも１つの盲ドリル穴をさらに備える
ことを特徴とする工業用ロール。
【請求項２８】
前記検出システムは、前記信号搬送部材と操作可能に関連するプロセッサをさらに備え、前記プロセッサは、それによって搬送された操作パラメータを代表する信号を処理することを特徴とする請求項２７に記載の工業用ロール。
【請求項２９】
前記シェルは、金属材料によって形成されることを特徴とする請求項２７に記載の工業用ロール。
【請求項３０】
前記シェル口腔内に配置される吸引ボックスをさらに備えることを特徴とする請求項２７に記載の工業用ロール。
【請求項３１】
工業用吸引ロール上に順次配置するために工業用吸引ロール上のセンサの軸方向位置および周方向位置を選択する方法において、
入力変数として、（ａ）前記ロールの直径および円周の１つと、（ｂ）前記工業用ロールの穴パターンと前記ロールの長軸と直交する面とによって確定される角度を与えるステップと、
センサの軸方向位置または周方向位置の１つの値を選択するステップと、
前記センサの前記軸方向位置または周方向位置の他方を、前記ロールの直径または円周、穴パターンの角度、および軸方向位置または周方向位置の値に基づいて、決定するステップと
を備えることを特徴とする方法。
【請求項３２】
前記ロールの前記穴パターンの角度は、前記穴パターンのフレームに基づいて決定され、ドリル間隔、前記ロールの円周におけるフレームの数、および斜めの穴列を軸方向において１つのドリル間隔の距離だけ移動させるのに必要なフレームの数が、入力変数として用いられることを特徴とする請求項３１に記載の方法。
【請求項３３】
前記軸方向位置および周方向位置は、以下の式、
α＝（Ｂ／Ｎ）（ｚ／ｄ）
但し、
α＝ロール上の角度位置、
ｚ＝ロール上の軸方向位置、
ｄ＝ドリル間隔
Ｎ＝ロールの円周におけるフレームの数（これは全数）、および
Ｂ＝斜めの穴列を軸方向において１つのドリル間隔の距離だけ移動させるのに必要なフレームの数
によって、関連付けられることを特徴とする請求項３１に記載の方法。
【請求項３４】
前記軸方向位置および周方向位置は、以下の式、
ａ＝Ｘｄπ（ｔａｎθ）
但し、
ａ＝原点からセンサ位置までの軸方向距離、
ｄ＝ロールの直径、
Ｘ＝ロールの円周に巻かれたファイバーの巻数、
θ＝ロールの軸を通る面に対する吸引穴パターンによって確定される角度
によって、関連付けられることを特徴とする請求項３１に記載の方法。